(57)【要約】      （修正有）【課題】端面に薬液が塗布されたトイレットロールの製造方法及び製造装置を提供する。【解決手段】トイレットロール１０と同径でかつ長さがトイレットロール１０の複数倍以上ある、トイレットロール１０の中間製品であるログ２０から個々のトイレットロール１０を切り出す際に、その切り出しを行なう丸ナイフ３１の側面に薬液を付着させて、裁断面となる端面に薬液を付与する。【選択図】図３
2015066250.tif 000002
【特許請求の範囲】
【請求項１】
トイレットロールと同径でかつ長さがトイレットロールの複数倍以上ある、トイレットロールの中間製品であるログを、回転する丸ナイフによって個々のトイレットロールに切断する切断工程を有し、
その切断工程において、前記丸ナイフの側面にロール周面が接するようロールを配置し、そのロール周面に薬液を付与してロール周面から丸ナイフの側面に薬液を転写し、その側面に薬液が転写された丸ナイフによりログの切断を行い、丸ナイフの側面からこれに接触する切断面に薬液を付与する、ことを特徴とする端面に薬液が付与されたトイレットロールの製造方法。
【請求項２】
側面に深さ２〜４０μｍ、大きさ１００〜３００μｍ2の多数の薬液保持穴を有する丸ナイフを用いる、請求項１記載の端面に薬液が付与されたトイレットロールの製造方法。
【請求項３】
静止状態のログの周面に移動する丸ナイフを押し当ててログの切断を行なう請求項１又は２記載の端面に薬液が付与されたトイレットロールの製造方法。
【請求項４】
トイレットロールの幅に間隔を空けて並設された丸ナイフ群に、ログ周面を当てて、複数のトイレットロールを同時に切り出す、請求項１又は２記載の端面に薬液が付与されたトイレットロールの製造方法。
【請求項５】
スプレー塗布装置からロール周面に対して薬液を噴霧して、ロール周面に薬液を付与する請求項１〜４の何れか１項に記載の端面に薬液が付与されたトイレットロールの製造方法。
【請求項６】
前記転写ロールを介してロール周面に薬液を付与する、請求項１〜５の何れか１項に記載の端面に薬液が付与されたトイレットロールの製造方法。
【請求項７】
トイレットロールと同径でかつ長さがトイレットロールの複数倍以上ある、トイレットロールの中間製品であるログから個々のトイレットロールを切断する回転する丸ナイフと、
この丸ナイフの側面にロール周面が接するよう配されたロールと、
このロール周面に薬液を付与する薬液付与手段と、を備えることを特徴とする端面に薬液が付与されたトイレットロールの製造装置。
【請求項８】
丸ナイフが、側面に深さ２〜４０μｍ、大きさ１００〜３００μｍ2の多数の薬液保持穴を有する請求項７記載の端面に薬液が付与されたトイレットロールの製造装置。
【請求項９】
前記薬液付与手段が、ロール周面に対して薬液を噴霧するスプレー塗布装置である請求項７又は８記載の端面に薬液が付与されたトイレットロールの製造装置。
【請求項１０】
前記薬液付与手段が、ロール周面に対して薬液を転写する転写ロールである、請求項７又は８記載の端面に薬液が付与されたトイレットロールの製造方法。
【発明の詳細な説明】
【技術分野】
【０００１】
本発明は、帯状のトイレットペーパーを紙管に巻いたトイレットロールであって特に端面に消臭剤及び芳香剤の少なくとも一方を含む薬液が付与されたトイレットロールの製造方法及び製造装置に関する。
【背景技術】
【０００２】
トイレ空間の消臭や芳香を目的として、トイレットロールに消臭機能や芳香機能を付与することが試みられている。
【０００３】
この消臭機能等を有するトイレットロールの製造方法として、従来、（１）トイレットペーパーを紙管に対して巻き付ける際に用いる接着糊に消臭剤や芳香剤を含有させる方法、（２）紙管を形成する過程で複数枚の紙管原紙を接着する際に使用する接着剤に消臭剤や芳香剤を添加する方法、（３）トイレットペーパーの巻き終わり（商品使用開始部分）を接着する糊（テールシール糊とも称される）に消臭剤や芳香剤を含有させる方法、（４）紙管内面に消臭剤や芳香剤を塗布して付与する方法が提案されている。
【０００４】
しかし、上記（１）及び（２）の方法は、製造されるトイレットロールが、トイレットペーパーや紙管原紙によって、消臭剤付与部分が被覆されるため芳香機能や消臭機能が十分に発揮され難いものとなるという問題があった。また、上記（３）の方法は、製造されるトイレットロールが、トイレットペーパーを使用開始するとともに接着糊部分が使われて継続的に芳香機能や消臭機能が発揮されないものとなるという問題があった。
【０００５】
上記（４）の方法は、製造されるトイレットロールが、消臭剤や芳香剤の付与位置が被覆される問題もなく、また、使い切られるまで消臭機能や芳香機能を発揮することが可能なものとなるが、消臭剤や芳香剤の付与位置が紙管内表面という部位であるため、消臭剤や芳香剤と外気との接触面積が狭く、消臭機能や芳香機能を高めることが難しいという問題があった。
【０００６】
以上のような従来のものには、改善すべき問題点があった。このような問題は、トイレットロールの広範に消臭剤や芳香剤を塗布できれば改善されることであり、トイレットロールの中でも広い面積を有する部分であるトイレットロールの端面（鏡面とも言われる）に消臭剤や芳香剤を効率よく付与することができればこの問題が解決できる。
【０００７】
しかし、トイレットロールの端面は、トイレットペーパーの両側縁が重層されて形成されるため潰れやすく、また、トイレットロールは形状が円筒型で軽量であるため安定性に優れた形状ではないうえに、生産時の搬送速度が速いため、トイレットロールの端面に均一かつ効率よく消臭剤や芳香剤を塗布することが難しかった。
【先行技術文献】
【特許文献】
【０００８】
【特許文献１】特許第４４３０６３２号
【特許文献２】特許第３５３８５８８号
【特許文献３】特開２００９−１５００３２号公報
【特許文献４】特開２００３−３２５３７２
【特許文献５】特開２０１１−１０４１８４
【発明の概要】
【発明が解決しようとする課題】
【０００９】
そこで、本発明の主たる課題は、継続的かつ安定的に芳香機能や消臭機能を発揮することが可能となる、端面に消臭剤や芳香剤が付与されたトイレットロールを効率よく製造することが可能な、トイレットロールの製造方法及び製造装置を提供することにある。
【課題を解決するための手段】
【００１０】
上記課題を解決した本発明とその効果は次記のとおりである。
＜請求項１記載の発明＞
トイレットロールと同径でかつ長さがトイレットロールの複数倍以上ある、トイレットロールの中間製品であるログを、回転する丸ナイフによって個々のトイレットロールに切断する切断工程を有し、
その切断工程において、前記丸ナイフの側面にロール周面が接するようロールを配置し、そのロール周面に薬液を付与してロール周面から丸ナイフの側面に薬液を転写し、その側面に薬液が転写された丸ナイフによりログの切断を行い、丸ナイフの側面からこれに接触する切断面に薬液を付与する、ことを特徴とする端面に薬液が付与されたトイレットロールの製造方法。
【００１１】
（作用効果）
本発明の製造方法は、ログをトイレットロールに切断する工程と、端面に薬液を付与する工程が同時に行なわれるので、生産効率に優れる。
【００１２】
また、ロールに付与する薬液種を変更するだけで、簡易にトイレットロール端面に付与する薬液種を変更できる。また、ロールへの薬液付与量を調整するだけで、丸ナイフへの薬液付着量が調整されるので、端面への薬液付与量の調整も容易である。
【００１３】
さらに、本発明の製造方法は、ロール周面に丸ナイフ側面を接触させるようにして、そのロール周面から薬液を丸ナイフ側面に付与するため、ロールと丸ナイフとの間の間隔の調整、あるいはロールへの薬液付与を停止させるだけで、端面に薬液を付与しない汎用のトイレットロールを製造することが可能となる。すなわち、端面に薬液が塗布されたトイレットロールと薬液が付与されていないトイレットロールの製造の切り替えが容易という利点がある。
【００１４】
また、回転する丸ナイフによってログを個々のトイレットロールに切断する際には、まず丸ナイフがログに接触し、その後に徐々に切断面が拡大し、最終的に完全に切断される。したがって、回転する丸ナイフの側面にロール周面から薬液を転写しつつログの切断を行なうと、切断面が拡大していく間、丸ナイフに側面に薬液が供給され続けるため、形成されるトイレットロールの端面に薬液が均一に塗布されるようになる。
【００１５】
さらに、本発明により製造されるトイレットロールは、トイレットロールの中でも広い面積を有し、しかも外気に露出している端面に薬液が塗布されたものとなる。
【００１６】
したがって、本発明における薬液を消臭剤や芳香剤とすれば、継続的かつ安定的に芳香機能や消臭機能を発揮することが可能となる、端面に消臭剤や芳香剤が付与されたトイレットロールが製造できる。
【００１７】
＜請求項２記載の発明＞
側面に深さ２〜４０μｍ、大きさ１００〜３００μｍ2の多数の薬液保持穴を有する丸ナイフを用いる、請求項１記載の端面に薬液が付与されたトイレットロールの製造方法。
【００１８】
（作用効果）
本項記載の発明によれば、丸ナイフ側面への薬液の付着性と丸ナイフ側面の薬液の保持性が向上する。従って、端面に多くの薬液を付与することができ、薬液付与量の調整が容易となる。また、穴内に薬液の保持性が高まることにより、裁断面全体に薬液をより均一に塗布することが可能となる。
【００１９】
＜請求項３記載の発明＞
静止状態のログの周面に移動する丸ナイフを押し当ててログの切断を行なう請求項１又は２記載の端面に薬液が付与されたトイレットロールの製造方法。
【００２０】
（作用効果）
本項記載の製造方法は、静止状態のログの周面に対して移動する丸ナイフを押し当てるため、カットズレが生じがたく、裁断面全体へのカッター刃への接触が確実なものとなる。
【００２１】
＜請求項４記載の発明＞
トイレットロールの幅に間隔を空けて並設された丸ナイフ群に、ログ周面を当てて、複数のトイレットロールを同時に切り出す、請求項１又は２記載の端面に薬液が付与されたトイレットロールの製造方法。
【００２２】
（作用効果）
本項記載の製造方法は、ログから端面に薬液が付与されたトイレットロールを複数同時に切り出すため、生産効率に優れる。
【００２３】
＜請求項５記載の発明＞
スプレー塗布装置からロール周面に対して薬液を噴霧して、ロール周面に薬液を付与する請求項１〜４の何れか１項に記載の端面に薬液が付与されたトイレットロールの製造方法。
【００２４】
（作用効果）
本項記載の製造方法は、スプレー塗布装置から噴霧する薬液種を変更するだけで、簡易にトイレットロール端面に付与する薬液種を変更できる。また、スプレー塗布装置の噴霧量を調整するだけで、丸ナイフへの薬液付着量を調整できるので、端面への薬液付与量の調整も容易である。
【００２５】
さらに、スプレー塗布装置を停止させるだけで、端面に薬液を付与しない汎用のトイレットロールを製造することが可能となる。すなわち、端面に薬液が塗布されたトイレットロールと薬液が付与されていないトイレットロールの製造の切り替えがより容易という利点がある。
【００２６】
＜請求項６記載の発明＞
前記転写ロールを介してロール周面に薬液を付与する、請求項１〜５の何れか１項に記載の端面に薬液が付与されたトイレットロールの製造方法。
【００２７】
（作用効果）
本項記載の製造方法は、転写ロールを介してロール周面に薬液を付与するようにしたため、ロール周面に均一に薬液を付与しやすく、薬液付与量の調整が容易となる。
【００２８】
＜請求項７記載の発明＞
トイレットロールと同径でかつ長さがトイレットロールの複数倍以上ある、トイレットロールの中間製品であるログから個々のトイレットロールを切断する回転する丸ナイフと、
この丸ナイフの側面にロール周面が接するよう配されたロールと、
このロール周面に薬液を付与する薬液付与手段と、を備えることを特徴とする端面に薬液が付与されたトイレットロールの製造装置。
【００２９】
（作用効果）
上記請求項１記載の発明と同様の作用効果を奏する。
【００３０】
＜請求項８記載の発明＞
丸ナイフが、側面に深さ２〜４０μｍ、大きさ１００〜３００μｍ2の多数の薬液保持穴を有する請求項７記載の端面に薬液が付与されたトイレットロールの製造装置。
【００３１】
（作用効果）
上記請求項２記載の発明と同様の作用効果を奏する。
【００３２】
＜請求項９記載の発明＞
前記薬液付与手段が、ロール周面に対して薬液を噴霧するスプレー塗布装置である請求項７又は８記載の端面に薬液が付与されたトイレットロールの製造装置。
【００３３】
（作用効果）
上記請求項５記載の発明と同様の作用効果を奏する。
【００３４】
＜請求項１０記載の発明＞
前記薬液付与手段が、ロール周面に対して薬液を転写する転写ロールである、請求項７又は８記載の端面に薬液が付与されたトイレットロールの製造方法。
【００３５】
（作用効果）
上記請求項６記載の発明と同様の作用効果を奏する。
【発明の効果】
【００３６】
以上のとおり本発明によれば、継続的かつ安定的に芳香機能や消臭機能を発揮することが可能となる端面に消臭剤や芳香剤が付与されたトイレットロールを効率よく製造することが可能な、トイレットロールの製造方法及び製造装置が提供される。
【図面の簡単な説明】
【００３７】
【図１】本実施形態に係るトイレットロールの斜視図である。
【図２】トイレットロールの製造工程のログ切断工程までの概要を説明する図である。
【図３】本発明に係るログ切断工程の第１カット形態の説明図である。
【図４】本発明に係るログ切断工程の第１カット形態の別の説明図である。
【図５】本発明に係るログ切断工程の第２カット形態の説明図である。
【図６】本発明に係るログ切断工程の第２カット形態の別の説明図である。
【図７】本発明に係るロールへの薬液付与の例を示す図である。
【図８】本発明に係るロールへの薬液付与手段の別の例を示す図である。
【図９】本発明に係る丸ナイフの側面図である。
【発明を実施するための形態】
【００３８】
本発明の実施形態を図１〜９を参照しながら以下に説明する。
本実施形態により製造するトイレットロール１０は、図１に示すとおり、帯状のトイレットペーパーＳ３が巻き取られた筒状をなすもので、特にその端面１４（鏡面と称されることもある）に薬液が付与されているものである。
【００３９】
本実施形態に係る端面１４に薬液が付与されたトイレットロールの製造方法は、まず、ログ２０を製造する。ログ２０とは、製品であるトイレットロール１０の巻径（直径）Ｌ１と同径であり、かつ幅が製品であるトイレットロールの幅Ｌ２の複数個分以上ある、トイレットロールを製造する際の中間製品である。
【００４０】
本発明では、ログ２０の製造方法は限定されるものではないが、好ましいログ２０の製造方法を図２を参照しながら説明する。この図２に示す本実施形態に係るログ２０の製造方法は、紙管１１を有する芯有りトイレットロールに係るログ２０の製造方法である。
【００４１】
図示の本実施形態のログの製造方法は、長尺の紙管１５を製造する工程（Ａ）と、巻き取り工程（Ｂ）とを有している。長尺の紙管１５を製造する工程（図２中（Ａ））は、二枚の帯状の紙管原紙１２，１２を原反ロール２，２からそれぞれ繰り出しつつ、所定位置に糊付けロール１３により糊を付与し、当該糊付けされた部分を重ねつつコアワインダーによりマンドレルシャフトに螺旋状に巻付けて筒状にしつつシャフトから抜いていき、生産品種に合わせた規定長さにスリッターにて切り揃えることで、円筒の長尺の紙管１５を形成する。糊の付与量は特に限定されないが、概ね０．１〜５．０ｇ／ｍ2程度である。また、糊は、本発明の効果を妨げない範囲で既知の紙管用のものを用いることができ、アクリル系接着剤、ホットメルト接着剤、澱粉糊、ＰＶＡ（ポリビニルアルコール）等が例示できる。
【００４２】
なお、本発明においては紙管に薬液が付与されていてもよく、このように紙管１１に薬液を付与する場合には、上記接着剤中に薬液を含有させるようにしてもよいし、紙管原紙１２に薬液を塗布するようにしてもよい。紙管原紙１２に薬液を塗布する場合には、図示はしないが、既知の印刷機等の薬液塗布手段を用いることができる。
【００４３】
なお、各紙管原紙１２，１２は、各々違う原反を使用してもよく、例えば、一方に印刷を施したり、各々の米坪を変えたりしてもよい。本発明においても、必ずしも紙管原紙１２，１２は、同様のものである必要はない。
【００４４】
次いで、この長尺紙管１５の製造と平行して又はその後においては、巻き取り工程（図２中（Ｂ）にて、前記長尺紙管１５と実質的に同幅のトイレットペーパー原紙Ｓ１，Ｓ１を、トイレットペーパー原反ロールＲ，Ｒから繰り出すとともに巻き付けてログ２０を形成する。この巻き付けは、既知のワインダー装置Ｘ２が利用できる。なお、図示例は、二つのトイレットペーパーロールＲ，Ｒからトイレットペーパー原紙Ｓ１，Ｓ１を繰り出して、重ね合わせ部１６にて２プライ構造のトイレットペーパー原紙Ｓ２とした後、既知のコンタクトエンボス付与装置１７及びミシン目線形成装置１８にてコンタクトエンボスの付与とミシン目線（図示しない）の形成を行なった後、巻き取り装置１９にて巻き取り２プライ構造となるようにしている。
【００４５】
なお、図示の形態では、２つのトイレットペーパー原反ロールＲ、Ｒからトイレットペーパー原紙Ｓ１、Ｓ１を繰り出し、積層構造とした２プライ構造のトイレットペーパー原紙Ｓ２としているが、本発明においては、かかる２プライに限定されず、１プライ若しくは３プライ以上であってもよい。さらには、複数プライ構造とする場合には、各原紙の米坪や物性等は同じである必要もない。また、予め積層されたシートを巻き取ったロールから積層シートを繰出して長尺紙管１５に巻き付けてログ２０を形成するようにしてもよい。
【００４６】
このようにしてログ２０を製造したならば、このログ２０を既知のログアキュームレーターＸ３で複数本をストックしつつ後段のログカッター設備Ｘ４へと移動させる。
【００４７】
以上説明の図２のログ製造方法は、紙管１１に帯状のトイレットペーパーＳ３を巻きつけた芯有りのトイレットロールに係るログの製造方法であるが、本発明に係るログは、コアレスとも証される芯無しトイレットロールに係るログであってもよい。芯無しトイレットロールに係るログの製造は、公知の方法が採用できる。例えば、紙管ではなくステンレス等の金属製のコアシャフトに、トイレットペーパー原紙を巻き付けたのち、当該コアシャフトを引き抜くようにして製造することができる。
【００４８】
他方、本実施形態に係る薬液が端面に付与されたトイレットロール１０の製造方法では、ログカッター設備Ｘ４で、ログ２０の切断と同時に端面１４に薬液を付与する。本実施形態に係るログカッター設備Ｘ４は薄板円盤状の回転する丸ナイフ３１を有し、これによってログ２０を個々のトイレットロール１０，１０…に切断する。丸ナイフ３１の刃は、両刃のものであっても片刃のものであってもよいが、好ましくは両刃のものである。
【００４９】
丸ナイフ３１によるログ２０のカット方法は、静止状態のログ２０の周面に対して移動する丸ナイフ３１を押し当てて切断する形態（以下、第１カット形態ともいう）、トイレットロール１０の幅Ｌ２の間隔で並設された丸ナイフ群に、ログ２０の周面を当てて、複数のトイレットロール１０，１０…を同時に切断する形態（以下、第２カット形態ともいう）とすることができる。
【００５０】
これらの形態についてより詳細に説明すると、第１カット形態は、図３及び図４に示すログカッター設備Ｘ４ａにより行なうことができる。このログカッター設備Ｘ４ａは、ログ２０を切断位置に間欠的に送り込むログ供給手段３２と、切断位置でログ２０を固定するクランプ３３と、丸ナイフ３１を具備するカッター３０を有している。カッター３０は、アーム３４の両端のそれぞれに丸ナイフ３１，３１が回転軸３５，３５を介して回動自在に取り付けられており、図示されない駆動源によって丸ナイフ３１，３１が前記回転軸３５，３５周りに回転するように構成されている。また、このカッター３０は、アーム３４自体もその両端間中央で回転軸３６に取り付けられており、図示されない駆動源により回転するように構成されている。したがって、丸ナイフ３１，３１は、アーム３４の回転軸周りに公転させられるとともに、自身の回転軸周りに自転するようになっている。
【００５１】
この第１カット形態に係るカッター設備Ｘ４ａにおいて、ログ２０は、上流側から供給手段３２によって丸ナイフ３１の公転軌道を跨いで下流側にトイレットロール１０の幅Ｌ２分の長さ飛び出すようにして送り込まれ、その位置でクランプ３３により固定される。この状態で、自転する丸ナイフ３１がアーム３４の回転にともなってログ２０に当たり、その際にログ２０の先端部分がトイレットロールＬ２の幅分だけ切断され、その切断された部分が個々のトイレットロール１０となる。また、切断後には、次の丸ナイフ３１が公転軌道上の切断位置に到達する前に、クランプ３３の固定を解除して、ログ２０の残りの部分を供給手段３２で移動させて、丸ナイフ３１の公転軌道を跨いで下流側にトイレットロール１０の幅Ｌ２分の長さを飛び出すようにして送り込み、再度クランプ３３で固定する。このログ２０の供給、固定、切断、固定解除の操作を繰り返して、ログ２０から複数の個々のトイレットロール１０，１０…を順次切り出していく。なお、ログの先端部及び後端部は、端面が揃っていない場合があるため、この部分はトイレットロールとして使用せずに適宜切り落として損紙回収してもよい。
【００５２】
第１カット形態に係るログカッター設備Ｘ４ａにおける、丸ナイフ３１の公転速度は、図示のように二つの丸ナイフで構成する場合には、１００〜１５０ｒｐｍが望ましい。この程度であれば、効率よくログ２０からトイレットロール１０，１０…を切り出すことができる。なお、丸ナイフ３１の大きさと、公転軌道の半径は、適宜の設計事項である。もちろん、係る設備Ｘ４ａでは、丸ナイフの回転軸やアームが、ログに当たらないようにする。
【００５３】
一方、第２カット形態は、図５及び図６に示すログカッター設備Ｘ４ｂにより行なうことができる。このログカッター設備Ｘ４ｂは、ログ２０を軸心と直行する方向、すなわち周面方向に向かって搬送するコンベア手段４１と、このコンベア手段４１の経路上にトイレットロール１０の長さで間隔を空けて配置された複数の丸ナイフ３１，３１…からなる丸ナイフ群を有している。各丸ナイフ３１，３１…は、回転軸とコンベアの進行方向とが直行するように配置され、かつコンベア４０の搬送平面上に刃を一部突出するようにして並設されている。
【００５４】
この第２カット形態に係るカッター設備Ｘ４ｂにおいて、ログ２０はコンベア手段によって周面方向に向かって移送され、その過程でログ周面が各丸ナイフ３１，３１…に接して、ログ２０から複数のトイレットロール１０，１０…が同時に切り出される。同時に切断された個々のトイレットロール１０，１０…は、そのままコンベア４１により下流に搬送される。なお、ログの両端部分は、端面が揃っていない場合があるため、図５及び図６の形態では、この部分１０ｃ，１０ｃはトイレットロールとして使用せずに切り落として損紙回収するようにしている。
【００５５】
第２カット形態に係るログカッター設備Ｘ４ｂにおける、コンベア４１の搬送速度は、２０〜３６ｍ／ｍｉｎとするのが望ましい。この速度であれば十分に丸ナイフ群によってログ２０を切断することができる。
【００５６】
第２カット形態に係るログカッター設備Ｘ４ｂにおける、丸ナイフ３１，３１…の大きさと、コンベア上に露出する刃の高さは、適宜の設計事項であり、丸ナイフ３１，３１…によってログ２０が完全に切断される刃の高さとし、もちろん、回転軸３５などがログ２０に当たらないように構成する。
【００５７】
ここで、本実施形態に係るトイレットロールの製造方法においては、図３及び図４並びに図５及び図６から理解されるように、丸ナイフ３１の側面にロール周面が接するようにして回動自在なロール５０が配されており、このロール５０の周面に薬液付与手段５１から薬液を付与し、前記丸ナイフ３１がロール周面に接することで、丸ナイフ３１の側面に薬液を転写させるようになっている。そして、丸ナイフ３１でログ２０を切断する際に、その丸ナイフ３１の側面からこれに接触する、トイレットロールとなった際に端面となる裁断面に薬液が付与されるようになっている。なお、図示例は、トイレットロール１０の両端面１４に薬液が付与されるように丸ナイフ３１に薬液を付与しているが、本発明では、丸ナイフ３１の一方側面のみに薬液を付与するようにして、トイレットロール１０の一方端面のみに薬液を付与するようにしてもよい。
【００５８】
このようにロール５０を介して薬液を丸ナイフ３１の側面に転写するようにすることにより丸ナイフ３１の側面に均一に薬液を付与することができ、もって、端面に均一に薬液が付与されたトイレットロールが製造される。
【００５９】
丸ナイフ３１への薬液の付与量は、トイレットロール１０の端面に付与する薬液量に応じて適宜調整すればよい。トイレットロール１０は、低密度で薬液の吸収性に優れるため、丸ナイフ３１の側面に付着した薬液のうち、裁断面に接する部分に付着した薬液のほぼ全量が端面に付与されるようになる。したがって、裁断面に接する部分に対してどの程度薬液が付着されるかを考慮して、薬液付与手段５１からロール５０への薬液付与量を調整すればよい。
【００６０】
このようにロール５０を配するにあたっては、第１カット形態におけるログカッター設備Ｘ４ａでは、丸ナイフ３１の公転軌道の所定位置にロール５０を配して、丸ナイフ３１が当該ロール設置位置を通過する際にロール周面に接するようにする。図示例では丸ナイフ３１が公転軌道上を回転する際に一対のロール５０，５０間を通るようにして、丸ナイフの両側面にほぼ同時に薬液を転写するようにしている。但し、各側面に対するロール５０の位置は必ずしも一致させる必要はない。
【００６１】
また、特に第１カット形態におけるログカッター設備Ｘ４ａでは、丸ナイフ３１が公転と自転とを同時に行なっているため、丸ナイフ３１がロール５０の周面に接した際にロール５０の回転方向とその際の丸ナイフ３１の移動方向とか完全に一致しない。したがってある程度の摩擦が生ずる。このためロール５０の設置位置としては、その摩擦に留意してその摩擦が少なくなる位置に設置する。また、ロール５０は必ずしも自転する必要はなく、自由回転するようにして丸ナイフ３１がロール周面を接触しながら通過する際にその丸ナイフ３１の移動によって回転するようにしてもよい。但し、駆動原により適宜の速度で回転させるようにするのが望ましい。その場合の回転速度は、丸ナイフ３１がロール周面に接した際に丸ナイフ３１の公転及び自転の速度を低下させたり加速させたりしないように、これらの速度に応じて適宜設定する。
【００６２】
一方、第２カット形態に係るログカッター設備Ｘ４ｂでは、丸ナイフ自体が移動せずその位置が所定位置に固定されているため、丸ナイフ設置位置に近接して、丸ナイフ３１の側面にロール周面が接するようにしてロール５０を配置する。第２カット形態に係るログカッター設備Ｘ４ｂでは、丸ナイフ３１の側面視でロール５０の回転軸の延長線上に丸ナイフ３１の回転軸がある位置関係でロール５０を設置するとロール周面と丸ナイフ３１との摩擦が最も小さくなる。したがって、このような位置関係でロール５０を設置するのが望ましい。ロール５０の回転については、第１カット形態と同様であり、必ずしも自転する必要はなく、自由回転するようにして丸ナイフ３１の回転によって回転するようにすることができる。好ましくは、駆動原により適宜の速度で回転させるようにする。この場合の回転速度は、丸ナイフ３１がロール周面に接した際に丸ナイフの回転速度を低下させたり加速させたりしないように、丸ナイフ３１の回転速度に応じて適宜設定する。
【００６３】
他方で、本実施形態に係るロール５０のロール周面に薬液を付与する薬液付与手段５１としては、図３及び図６に示すように、スプレー塗布装置５１ａが例示できる。スプレー塗布装置５１ａを用いるのであれば、ロール周面に向けて薬液を噴霧して付与するようにすればよい。なお、スプレー塗布装置５１ａから噴霧する霧滴粒子の重量平均粒径は、２０〜１５０μｍとするのがよい。また、スプレー塗布装置５１ａの種類としては、二流体方式のノズル式噴霧方式や、ローターダンプニング噴霧方式等のものが望ましい。より、好ましくは、ローターダンプニング噴霧方式である。ローターダンプニング噴霧方式は、少ない量の噴霧液量を霧滴の飛散を抑えつつ均一に塗布することができ、かつ噴霧速度や霧の粒子径等の調整が容易である利点がある。
【００６４】
また、このようにスプレー塗布装置５１ａを用いてロール５０の周面に薬液を付与するのであれば、薬液の周囲への意図しない飛散を防止するために、特に図７に示すようにスプレー塗布装置５１ａ及びロール５０の周囲を覆うように箱形のカバー５２を設けるのがよい。そして、このようにカバー５２を設けるのであれば、図示例の如くその天板５２ａ及び底板５２ｂを５〜１０°傾斜させて構成するとともに、底板５２ｂの最下位置にドレン孔５２ｃを設けて、飛散によりカバー内面に付着した薬液が箱内周面を伝ってドレン孔５２ｃから回収できるようにするのが望ましい。回収した薬液は適宜処理して再利用すればよい。
【００６５】
また、本実施形態に係るロール周面に薬液を付与する薬液付与手段５１としては、図８に示すように、転写ロール５３を介してロール５０に薬液を転写するようにして付与することができる。この場合、ドクターチャンバー方式、ピックアップロールを用いる２ロール式、３ロール式の既知のロール転写技術を採用できる。図示の形態は、ドクターチャンバー方式の例であり、図示されないポンプ手段等により薬液が連続的に循環供給されるドクターチャンバー（薬液タンク）５４から転写ロール５３であるアニロックスロールに薬液を供給し、そのアニロックスロール５３からロール５０に薬液を転写して付与するようにしている。転写ロール５３の線数やセル数はロールに転写する薬液量に応じて適宜設計することができる。この方式では、転写ロール５３のセル数や線数などの設計により丸ナイフ３１の側面に付与する薬液量の調整を詳細に行える利点がある。
【００６６】
他方、本実施形態に係るログカッター設備Ｘ４ａ，Ｘ４ｎに係るロール５０は表面が弾性を有する弾性ロールであるのが望ましい。弾性ロールとしては表面素材が、耐薬品性及び耐摩耗性に優れる、ゴム素材、スポンジ素材、不織布素材で構成されたものが望ましい。耐薬品性及び耐摩耗性に優れるゴム素材としては、例えば、クロロスルホン化ポリエチレンゴムやブチルゴムなどがある。このように弾性ロールとすることで丸ナイフ側面に接した際に、丸ナイフ側面への接触性を十分に確保できるとともに丸ナイフの摩耗や摩擦による発熱などを低減できる。また、特に、表面がスポンジ素材や不織布素材で構成された弾性ロールとすると、薬液保持性に優れるロール５０から丸ナイフへの薬液転写を確実に行えるとともに、丸ナイフ３１とロール５０との接触圧を極めて低下させることができ、摩擦を少なくすることができる。特に、第１カット形態のようにロール５０の回転方向と丸ナイフ３１の移動方向が完全に一致しない場合には、このようなスポンジ素材等で構成するのが摩擦低減の点で効果的である。
【００６７】
また、弾性ロールにおけるゴム素材の表面に適宜のパターンの溝を形成したり、スポンジ素材の密度を適宜調整することで、ロール５０への薬液付与量を詳細にコントロールすることが可能となる。
【００６８】
他方、本実施形態においては、好ましくロール５０は、丸ナイフ３１の側面との間の距離を調整できるようにして、丸ナイフ３１とロール５０との接触、非接触を選択できるようにするのが望ましい。このようにすれば、簡易に薬液を付与したトイレットロールと薬液を付与しないトイレットロールの製造を簡易に切り替えることが可能となる。
【００６９】
ここで、本実施形態に係るログカッター設備Ｘ４ａ，Ｘ４ｂでは、プライ数が１〜３、１プライ当たりの坪量が１０〜２５ｇ／ｍ2、厚みが８０〜２５０μｍのトイレットペーパーを巻いた、巻径（直径）が１００〜１２０ｍｍ、芯径が１０〜４８ｍｍ、巻長が２０〜１００ｍの一般的なトイレットロールに係るログを切断するのであれば、丸ナイフ３１の周速は周速８６０〜１２６０ｍ／ｍｉｎであるのが望ましい。この速度であれば、ロール５０から丸ナイフ３１の側面へ薬液を好適に付着させることができ、またログ２０の切断も好適に行なうことができる。さらに、丸ナイフ３１の側面からトイレットロール１０の端面となる裁断面に薬液を好適に付着させることができるようになる。
【００７０】
他方、丸ナイフ３１の大きさは、必ずしも限定されないが、上記一般的なトイレットロールに係るログを切断する場合には、半径（ｒ）＝２５０〜３５０ｍｍとするのが望ましい。この程度の半径を有する丸ナイフ３１であれば、ログ２０を裁断するにあたって丸ナイフ３１の側面の刃先から２００ｍｍの範囲内にトイレットロール１０の裁断面を位置させることができる。
【００７１】
したがって、丸ナイフ３１側面の薬液を付着させる位置、すなわちロール５０の少なくとも薬液が付与されている部分との接触位置としては、丸ナイフ３１の刃先から２〜２００ｍｍの範囲とするのが望ましい。丸ナイフ３１の刃先から２ｍｍの範囲内に薬液を付着させると、丸ナイフ３１の濡れた刃先がログ周面に接触することになり、切断性に影響を与えたり、綺麗な切断面、すなわち端面が形成されないおそれがある。また、２００ｍｍもあれば十分にログ２０の裁断面に接触させる装置構成とすることができ、また、刃先から２００ｍｍを超える位置に至るまで薬液を付与しても薬液の無駄を招くことにもなる。
【００７２】
ロール５０の大きさは、丸ナイフ３１の大きさ等に応じて適宜設計できるが、上記の大きさの丸ナイフであれば、ロール５０は、幅が１００〜２００ｍｍ、直径が５０〜２００ｍｍであるのが望ましい。幅が１００〜２００ｍｍであれば、丸ナイフからトイレットロール切断面へ薬液を好適に無駄なく付着させることができる。直径は５０ｍｍ未満となると薬液の飛散が生じ、２００ｍｍ以上では設備設置上、好ましくない。
【００７３】
他方、丸ナイフ３１は、その側面が裁断面に接するため、通常はその側面は実質的に平坦となっている。本実施形態に係る丸ナイフ３１も当然に過度の凹凸を有するようなものではない。但し、本実施形態の丸ナイフ３１では、図９に示すように、側面に対する薬液の付着性及び保持性を高めるべく、側面に深さ２〜４０μｍ、大きさ１００〜３００μｍ2の多数の薬液保持穴６０，６０…を形成することができる。薬液保持穴６０，６０…の深さが２μｍ未満であったり、１００μｍ2未満であったりすると、薬液付着量を十分に向上させることができないばかりか、丸ナイフ側面によって裁断面（端面）が削られて紙粉が過度に発生するとともに綺麗な端面が形成されなくなるおそれがある。また、深さは４０μｍを超えたり、大きさが３００μｍ2を超えると薬液が穴奥に入り込んで裁断面に付与できなかったり、過度に薬液が保持されて裁断面が崩れたりするおそれが高まる。また、薬液保持穴６０，６０…の密度は、４００〜１０００個／ｃｍ2とするのが望ましい。この程度の密度であれば、十分に薬液付着量を高めることができ、過度に丸ナイフ側面を粗面化することもない。
【００７４】
なお、上記のように薬液保持穴６０を設ける場合においても、各穴の上縁が一致するようにして、保持穴以外の部分が実質的に平面となるようにする。また、薬液保持穴６０，６０…を設ける場合には、各薬液保持穴６０，６０…の上縁を面取りするようにして、丸ナイフ３１の側面とロール及び裁断面との摩擦を低減するようにするのが望ましい。
【００７５】
薬液保持穴６０，６０…を形成する範囲としては、上記の好適な薬液付着範囲である丸ナイフの刃先から２〜２００ｍｍの範囲Ｌ５とするのが望ましい。
【００７６】
また、ロール５０は、丸ナイフ３１の刃先がログ周面に接触してから完全に裁断されるまで丸ナイフ３１の側面に薬液を付与しつづけることが可能な位置に設置するのが望ましく、概ね、ログ周面と丸ナイフの刃先との離間距離が直線距離で１５０〜２５０ｍｍとなる位置とするのがよい。
【００７７】
他方、本実施形態においてトイレットロール１０の端面１４に付与する薬液は、芳香剤及び消臭剤の少なくとも一方を含むものであるのが望ましい。これらの薬液は、消費者が肌に直接触れることを嫌う場合があり、使用時に肌に接触するトイレットペーパーＳ３の表面に塗布するよりも、トイレットペーパーＳ３の縁が重層された部分であって、トイレットペーパーとして使用する際には殆ど使用者に接触することがない端面１４に付与することが望ましいものである。なお、薬液は、端面１４からの浸透深さは１０ｍｍ未満、好ましくは５ｍｍ未満、より好ましくは１ｍｍであるのがよい。換言すればトイレットペーパーの両側縁から１０ｍｍ幅未満、好ましくは５ｍｍ幅未満、より好ましくは１ｍｍ幅未満の範囲まで薬液が浸透していてもよい。この程度であれば、肌を清拭した際に肌に直接触れるおそれが格段に少ないものとなる。これは、丸ナイフ３１の側面への薬液付着量を調整することで、調整することができる。また、トイレットロール１０の端面１４は、トイレットペーパーの両側縁が重層されて形成されているため、接着性の高い薬液の場合、トイレットペーパーＳ３のスムーズな引き出しを阻害し、引き出す時にトイレットペーパーが破断したり、乾燥した薬液が粉落ちしてトイレ空間を汚したりするおそれが高まる。したがって、薬液は、過度の接着性を有さないものが望ましい。
【００７８】
本実施形態に係る消臭剤としては、茶、柿等から抽出されたポリフェノール類、スギ、ヒノキ等から抽出された精油類、二酸化チタン、二酸化アルミニウム、グラフト重合体系消臭剤、ベタイン化合物系消臭剤、ジルコニウム化合物、銅化合物、ゼオライト、活性炭、イオン交換樹脂の少なくとも１種を含むものであるのが望ましい。
【００７９】
但し、粘度調整が可能でありスプレー塗布やロール転写に適するのは、固形分を含まない粘度が１〜５００ＣＰＳの薬液である。このような観点から特に好ましいのは、ポリフェノール類を主成分とするポリフェノール系消臭剤である。ポリフェノール系消臭剤は、植物及び植物の加工品から抽出されるポリフェノール、及びそのポリフェノールの誘導体を主成分とするものであり、トイレ空間に存在する主たる悪臭成分の一つであるアンモニアに対して高い消臭機能を有する。もちろん、アンモニアに加えて、トイレ空間の悪臭成分として知られる、硫化水素、メチルメルカプタン、トリメチルアミンに対して反応性を有して消臭機能を有するものも存在し、用いるポリフェノール系消臭剤はそのようなものであってもよい。例えば、ポリフェノール誘導体の中には、特許３９１９７２９号のように人為的に分子量の高いポリフェノールに対して適宜の官能基を持たせて、特定の成分に対する消臭機能を付加或いは高めたものが知られているが、そのようなものであってもよい。なお、ポリフェノール系消臭剤は、ポリフェノール、ポリフェノール誘導体の何れか一方を含むものに限定されるわけではなく、双方が含まれていてもよい。また、数種のポリフェノール、ポリフェノール誘導体が含まれていても良い。
【００８０】
また、特に、ポリフェノール類のなかでも、タンニン及びその誘導体が望ましい。タンニン及びタンニン誘導体は、分子量が大きくフェノール系水酸基を多く有するため消臭機能に優れる。なお、タンニンは、縮合型タンニン、加水分解型タンニンのいずれでよい。また、タンニンのなかでも、柿由来の柿タンニンは、分子量が非常に大きく、消臭効果に極めて優れるため、ポリフェノール系消臭剤としては、この柿タンニン及び柿タンニン誘導体の少なくとも一方を含むようにするのがよい。
【００８１】
ポリフェノール系消臭剤のより具体的な製品としては、リリース科学工業株式会社製のPancil COS-15、Pancil COS-17、Pancil CL-10、Pancil AS-10、Pancil AS-20、Pancil  BA-210-1、Pancil COS-5、Pancil FG-22、Pancil FG-25、Pancil FG-30、Pancil FG-60、Pancil FG-70、Pancil FG-99、Pancil FＸ-10、Pancil PO -10、Pancil BA-200E-1が例示できる。
【００８２】
他方、本実施形態に係る芳香剤としては、天然系あるいは合成系の既知の香料を用いることができる。具体例としては、レモン油、グレープフルーツ油、ローズマリー油、ペパーミント油、マンダリン油、ライム油、ユズ油、カモミール油、ラベンダー油、ローズ油、スペアミント油等の天然香料類；リナロール、シトロネロール、メントール、ゲラニオール等のアルコール類等の合成香料などが挙げられる。これらは単独で用いても、複数を組み合わせて調合香料として用いてもよい。香料の選択は、所望の香調によって決定すればよい。
【００８３】
なお、本実施形態においては、好ましくは紙管にも薬液を付与するのが望ましい。紙管内面に薬液を付与する場合には、端面に塗布する薬液と同一でも異なるものでもよい。
【００８４】
他方、本実施形態に係るトイレットロール１０の製造方法においては、ログカッター設備Ｘ４で切断して個々のトイレットロール１０とした後に、フィルム包装等して製品とすることができる。本実施形態に係るトイレットロール１０においては、端面に塗布する薬液を消臭剤や芳香剤とするのであれば、製造後に店舗へ輸送する間や店舗で商品として陳列されている間に、異臭成分と消臭剤とが接触したり、消臭剤や芳香剤が意図せず揮散したりして、消臭機能が低下しないように、ＪＩＳ  Ｋ  ７１２６（２００６）（等圧法：モコン法／２３℃×６５％ＲＨ）による酸素透過度が０．１〜５０ｍｌ／ｍ2・ｄａｙ・ａｔｍのガスバリア性を有する樹脂製フィルムによって包装するのが望ましい。
【符号の説明】
【００８５】
１０…トイレットロール、Ｓ３…トイレットペーパー、１４…端面、２０…ログ、Ｌ１…トイレットロールの直径（巻径）、Ｌ２…トイレットロールの幅、１１…紙管、１５…長尺紙管、１２…紙管原紙、２…原反ロール、１３…糊付けロール、Ｓ１…トイレットペーパー原紙、Ｒ…トイレットペーパー原反ロール、Ｘ２…ワインダー装置、１６…重ね合わせ部、Ｓ２…２プライのトイレットペーパー原紙、１７…コンタクトエンボス付与装置、◇
１８…ミシン目線付与装置、１９…巻き取り装置、Ｘ３…ログアキュームレーター、◇
Ｘ４，Ｘ４ａ，Ｘ４ｂ…ログカッター設備、３１…丸ナイフ、３２…ログ供給手段、３３…クランプ、３０…カッター、３４…アーム、３５…回転軸、３６…回転軸、４１…コンベア手段、１０Ｃ…ログ両端部分５０…ロール、５１…薬液付与手段、５１ａ…スプレー塗布装置、５２…カバー、５２ａ…カバーの天板、５２ｂ…カバーの底板、５２ｃ…ドレン孔、５３…転写ロール、５４…薬液タンク、６０…薬液保持穴。
【図１】
2015066250.tif 000003
【図２】
2015066250.tif 000004
【図３】
2015066250.tif 000005
【図４】
2015066250.tif 000006
【図５】
2015066250.tif 000007
【図６】
2015066250.tif 000008
【図７】
2015066250.tif 000009
【図８】
2015066250.tif 000010
【図９】
2015066250.tif 000011